(57)【特許請求の範囲】
【請求項１】
電力系統から入力されたアナログ電気量をディジタル電気量にＡ／Ｄ変換するＡ／Ｄ変換手段と、
前記Ａ／Ｄ変換手段から出力されるディジタル電気量を用いてリレー演算を行い前記電力系統の異常を判定するリレー演算手段と、
前記リレー演算手段から出力されるリレー演算結果に基づいて前記電力系統に接続される遮断器への動作指令を出力するシーケンス処理手段と、
異常と判定したリレー演算結果または前記遮断器への動作指令をトリガとして検出し、前記トリガの検出時刻から所定時間経過までの前記ディジタル電気量が、前記Ａ／Ｄ変換の変換時刻ごとに複数のサンプルに分けられ時系列的に格納されるメモリ手段と、
前記複数のサンプルから指定された時刻に該当するサンプルを選択しディスプレイ装置への表示処理を行う表示編集処理手段と、
前記表示編集処理手段は、指定された時刻に対応する前記サンプルを選択する表示データ選択部と、表示時刻を前後させる移動指示に応じて前記表示データ選択部が選択する前記サンプルを移動させる加算減算回路部と、を有し、
前記ディジタル電気量および前記リレー演算結果および前記遮断器の運用状態が表示される各画面には、前記移動指示を受け付ける表示点移動スイッチが表示されることを特徴とする保護リレー装置。
【請求項２】
請求項１において、
前記メモリ手段に格納される前記サンプルには、前記ディジタル電気量とともに前記リレー演算結果および前記遮断器の運用状態が格納され、
前記表示編集処理手段は、指定された時刻に対応する前記サンプルを選択し前記ディスプレイ装置への表示処理を行うことを特徴とする保護リレー装置。
【請求項３】
請求項１において、
前記メモリ手段に格納される前記サンプルは基準となった前記トリガごとに複数のケースに領域分けされ、
前記表示編集処理手段は、前記メモリ手段から前記ケースを選択し、該ケース内の指定された時刻におけるディジタル電気量を前記ディスプレイ装置に数値表示することを特徴とする保護リレー装置。
【請求項４】
請求項３において、
前記表示編集処理手段は、前記ディスプレイ装置に表示するディジタル電気量を実効値または瞬時値か選択して数値表示することを特徴とする保護リレー装置。
【請求項５】
請求項１において、
前記表示編集処理手段は、前記Ａ／Ｄ変換手段から出力されるディジタル電気量か前記メモリ手段に格納されたディジタル電気量かを選択しディスプレイ装置への表示処理を行うことを特徴とする保護リレー装置。
【請求項６】
請求項１においてさらに、
一定のメモリ領域を巡回するように順次前記ディジタル電気量が書き込まれるリングバッファ手段が設けられ、
前記トリガの検出時刻の前後に予め設定された範囲時間内の前記ディジタル電気量が前記リングバッファ手段から前記メモリ手段へ格納されることを特徴とする保護リレー装置。
【請求項７】
請求項１に記載の保護リレー装置のデータ表示方法において、
電力系統から入力されたアナログ電気量をディジタル電気量にＡ／Ｄ変換し、
前記ディジタル電気量を用いて前記電力系統の保護演算を行い、
前記保護演算結果に基づいて前記電力系統に設けられた遮断器を動作させるトリップ指令を出力し、
前記トリップ指令の出力時刻から所定時間経過までの前記ディジタル電気量を時系列的にメモリへ格納し、
前記メモリへ時系列的に格納された前記ディジタル電気量から一時点を指定し、
指定された前記一時点におけるディジタル電気量をディスプレイ装置へ数値表示し、
表示を行う前記一時点の変更指示を受付け、順次変更後の一時点におけるディジタル電気量を数値表示する保護リレー装置のデータ表示方法。
【請求項８】
請求項７において、
前記トリップ指令の出力時刻から所定時間経過までの前記保護演算結果および前記遮断器の運用状態を時系列的に前記ディジタル電気量と共に前記メモリへ格納し、
前記一時点における前記ディジタル電気量の数値表示画面から当該一時点における前記保護演算結果表示画面または当該一時点における前記遮断器の運用状態表示画面へと表示変更する表示変更スイッチを前記ディジタル電気量の数値表示画面上に表示することを特徴とする保護リレー装置のデータ表示方法。
【発明の詳細な説明】
【技術分野】
【０００１】
本発明は、電力系統を保護するディジタル保護リレー装置に係り、特に電力系統情報および保護リレー演算結果等のデータを好適に表示する保護リレー装置およびその表示方法に関する。
【背景技術】
【０００２】
電力系統に発生する故障、いわゆる短絡，地絡故障等に対しては、電力系統を形成する送電線，変圧器，母線，発電機といった要素ごとに設置された保護リレー装置が、その守備範囲内に発生した故障に対して動作し、当該の故障点を含む区間を遮断器の引き外しにより、残りの健全な電力系統から切り離しすることで、故障の除去が行われている。特別高圧系統に設置される保護リレー装置は、数サイクル（おおよそ４０ms程度）で動作し、遮断器も２サイクル程度で動作するため、事後の現象解析には、あらかじめ設置してあるオシロ記録装置や、保護リレー装置に内蔵されている記録機能によって、故障発生時の電力系統の電圧情報や電流情報あるいは、保護リレーの動作記録を確認することで実施されている。
【０００３】
現在は、系統の電流，電圧情報をディジタル化し、ソフトウェア処理によって、系統故障を判別するアルゴリズムを実現したディジタルリレーが主流となっている。
【０００４】
一般には、特別高圧向けの保護リレー装置では、電力系統の電流，電圧情報を電気角３０度や、高速なものでは３.７５度といった周期でサンプリングしている。ディジタルリレーにおいては、比較的容易に、データ記録機能が実現できることから、多くの製品がデータ記録機能を有しており、リレーがその演算のために系統側から取り込みする系統の電圧情報、電流情報等のアナログ情報と系統側や他の設備のスイッチ情報、およびリレーそのものの演算結果やシーケンス処理の情報等を３０度あるいは３.７５度といった周期で記録している。また、記録時間についても一つの事象に対して１０サイクル程度のデータを保管するものが主流となっている。
【０００５】
記録されたデータについては、一旦装置から、パソコン等に読出し、専用のソフトウェアツールである解析ツールを用いて、ディジタルリレーが記録した系統の電圧，電流情報を描画し、その波形の形，ひずみの程度，大きさや位相等を確認したり、波形といっしょにリレーの動作状態を示す信号や、機器の状態を示すスイッチ情報を時系列に比較する機能等が提供されている。
【０００６】
一方、ディジタルリレーが標準的に実装しているヒューマンインターフェイス（ＨＩ）部や、パソコン等で実現しているＨＩでは、データ記録の起動点の実効値や位相や起動点のリレー動作状態を示すに留まり、前記の解析ツールのような波形描画等までは実現していない。これは、現在のＨＩの主流が、パソコン側に特別なプログラムがなくとも、標準的なウェーブブラウザにより実現できる機能に限定しているためである。
【０００７】
このため、一度、データ記録が起動するような事象が発生すると、リレー側から記録データを一旦パソコンに読出し、パソコン側の専用の解析用プログラム、いわゆる解析ツールにより解析を実施する必要があり、万一解析ツールがインストールされていないパソコンでは、詳細内容の確認は困難である。
【０００８】
さらに、解析ツールを使用する場合、読出し元の製品にあわせた設定や確認したい情報の選択等が必要であり、取扱いに精通した人間しか対応が困難であるか、または、所望の情報を読み出すまでには、相応の時間を要するのが現実である。
【０００９】
この課題に対して、例えば特許文献１のように特定の装置動作時刻の前後に連続する瞬時値データを選択範囲条件に基づいて選択し、グラフィック形式の連続データに変換して表示させる技術がある。
【先行技術文献】
【特許文献】
【００１０】
【特許文献１】特開２００８−９９４４２号公報
【発明の概要】
【発明が解決しようとする課題】
【００１１】
上記の従来技術は、グラフィック形式の連続データを表示するというような、これまで解析ツールで行われていた機能をＨＩに組み込んだものである。そのため、保存された電気量データをグラフィック形式に変換し連続データとして表示させるというような解析用のプログラムをＨＩに実装させる必要があり、相応なシステムのリソースが必要となるという課題があった。
【００１２】
本発明は上記課題に鑑み、ＨＩ処理を大幅に増やすことなく、容易に時系列でのリレー動作を確認できる保護リレー装置を提供することにある。
【課題を解決するための手段】
【００１３】
上記の課題は、電力系統から入力されたアナログ電気量をディジタル電気量にＡ／Ｄ変換するＡ／Ｄ変換手段と、前記Ａ／Ｄ変換手段から出力されるディジタル電気量を用いてリレー演算を行い前記電力系統の異常を判定するリレー演算手段と、前記リレー演算手段から出力されるリレー演算結果に基づいて前記電力系統に接続される遮断器への動作指令を出力するシーケンス処理手段と、異常と判定したリレー演算結果または前記遮断器への動作指令をトリガとして検出し、前記トリガの検出時刻から所定時間経過までの前記ディジタル電気量が、前記Ａ／Ｄ変換の変換時刻ごとに複数のサンプルに分けられ時系列的に格納されるメモリ手段と、前記複数のサンプルから指定された時刻に該当するサンプルを選択しディスプレイ装置への表示処理を行う表示編集処理手段と、を有する保護リレー装置によって解決される。
【発明の効果】
【００１４】
本発明によれば、既存のヒューマンインターフェイス部に大きな処理負担をかけることなく、機能追加により、容易に時系列的なデータの確認が実現できる。
【図面の簡単な説明】
【００１５】
【図１】表示データ選択回路。
【図２】表示点移動処理フロー。
【図３】リレー動作内容表示画面の例。
【図４】入力電気量の実効値・位相表示画面の例。
【図５】入力電気量の瞬時値表示画面の例。
【図６】運用状態表示画面の例。
【図７】動作履歴画面の例。
【図８】動作内容表示画面の例。
【図９】保護リレー装置のデータ処理ブロック図。
【図１０】データセーブメモリからのデータ選択回路。
【図１１】リレー動作内容の常時データ表示画面の例。
【図１２】入力電気量の常時データ表示画面の例。
【図１３】運用状態の常時データ表示画面の例。
【図１４】サンプルのデータ構成例。
【発明を実施するための形態】
【００１６】
図９に一般的な保護リレー装置のデータ処理ブロック図を示す。保護リレー装置は、電力系統側の電圧や電流を取り込みするが、変圧器ＰＴ１１０や変流器ＣＴ１０９からの信号を低電圧化する入力変換器補助トランス１０１を設け、主機側の変圧器ＰＴ１１０，変流器ＣＴ１０９と接続する。
【００１７】
補助トランス１０１の出力側には、ディジタル化に適した低電圧が出力するような変圧比になっている。この出力は、アナログフィルタ１０２に接続する。アナログフィルタ１０２は不要な周波数成分を除去したり、次段のディジタル変換によって発生する、折り返し誤差防止用である。アナログフィルタ１０２からのアナログ信号はＡ／Ｄ変換器１０３によってサンプリングされ、ディジタル信号化される。このディジタル信号は、次段のリレー演算部１０４に送られる。
【００１８】
リレー演算部１０４はＡ／Ｄ変換器１０３からのディジタル信号に基づいて電力系統の事故等を判断するリレー演算を行い、リレー演算結果は、さらにシーケンス処理部１０６に送られる。シーケンス処理部１０６では、機器や他装置からのＯＮ／ＯＦＦ状態，スイッチ状態等を取り込みする入力回路１０５を経由して取り込まれたＯＮ／ＯＦＦ情報と組み合わせたシーケンス処理を実施した後に、遮断器への引き外し指令を出力する出力回路１０７よりリレー装置としての判定結果を出力する。
【００１９】
記録用のデータセーブメモリ１０８では、Ａ／Ｄ変換器１０３の出力や、リレー演算部１０４からのリレー演算結果，シーケンス処理部１０６からのシーケンス処理結果，入力回路１０５の状態等をサンプリング周波数やあるいは、リレー演算周期，シーケンス演算周期等の単位で時系列的に保存する。この保存処理は、リレー演算の結果や、シーケンス演算の結果や、入力回路１０５の状態等の変化をトリガとして実施する。トリガ発生前のデータを保存する場合は、メモリ上にリングバッファ１１１を設けて、常時記録しておき、トリガ時に凍結しデータセーブメモリ１０８へ格納することで、実現できる。
【００２０】
ＨＩ画面１１５への表示処理を行うヒューマンインターフェイス（ＨＩ）処理部１１２は、データ表示編集処理部１１３とＨＩ画面表示処理部１１４から成る。データ表示編集処理部１１３は、データセーブメモリ１０８に格納された各種データから表示する時刻のデータを選択し、ＨＩ画面１１５への表示するための編集処理を行いＨＩ画面表示処理部１１４へ出力する。ＨＩ画面表示処理部１１４では、ＨＩ画面への表示処理を行いＨＩ画面１１５へ表示させる。また、ＨＩ画面表示処理部１１４では、Ａ／Ｄ変換器１０３の出力や、リレー演算部１０４からのリレー演算結果，シーケンス処理部１０６からのシーケンス処理結果，入力回路１０５の状態等の現在の運用状態を示すデータを選択してＨＩ画面１１５へ表示させることもできる。
【００２１】
図１０はデータセーブメモリ２０１からのデータ選択回路の一例を示す。データセーブメモリ２０１上に、２０１−１〜２０１−ＮまでのＮケースのデータ記録が保存されているとする。これはＮ回のトリガを受け付けして保存したデータとする。
【００２２】
データ選択回路２０２は、ＨＩ画面表示処理部２０４により指定された記録データケースを選択する。データ表示編集処理部２０３は、選択されたデータを表示するための編集を実施する。
【００２３】
図７には、動作履歴画面の例を示す。前記のデータ表示編集処理部２０３により編集された画面例である。この画面例では、記録データの一覧を示しており、発生日時３０４と動作結果３０５を表形式で表示した例を示す。ここでは、３０６〜３０９の記録ケースの時刻と動作結果が表示されている。ここで、３０６〜３０９の表示スイッチを選択することで、前述の図１０のデータ選択回路２０２が連動して動作し、所望のデータを選択する。また、３０６Ａ〜３０９Ａは３０６〜３０９で示す記録における動作内容を示す表示器である。
【００２４】
選択されたデータは、次に、図８に示す動作内容画面に遷移する。動作内容画面は装置動作に至った結果の概要を示す画面である。
【００２５】
図３は、リレー動作内容表示画面２１を示す。この画面２１では、データ記録されているリレー要素一つ一つの動作状態を表示する。この画面上で、スイッチ２９，３０を選択することで、それぞれ、後述する図４および図５に示す入力電気量画面，図６に示す運用状態画面へ遷移することができる。また、２７を選択することで、図８の動作内容画面へ戻ることもできる。
【００２６】
各画面間の遷移は、２７〜３０の選択により実施でき、画面遷移とともに選択されたスイッチ部が表示器を兼ねており、反転表示等で選択中であることを認識できるようにする。以上説明した内容は、既存の保護リレーにおいて実現されているヒューマンインターフェイスのデータ記録の確認画面の構成例となんら変わらない。
【００２７】
図３に示すようにリレー動作内容表示画面２１では、リレー要素２２のａ相，ｂ相，ｃ相の状態を２２ａ〜２２ｃによってランプ表現しており、記録データ中のある時刻、ある１サンプルのリレー状態か、あるいは、ＯＲロジック表示処理等により、一定期間のリレーの状態を表現する。
【００２８】
本実施例では、この画面表現において、時系列のデータ確認を実現する上で、表示サンプル移動スイッチ２３を設けている。この例では、押しボタンスタイルのスイッチ２４，２５を設けているが、これはスクロールバー等のスタイルや、キーインにより表示データの選択を数値や時刻で指定する方法であっても良い。この例では、２４のキー操作により、表示データを時系列的に前にシフトする。逆に２５のキー操作により、表示データを時系列的に後ろにシフトする。このデータの移動単位は、１サンプルずつでも複数サンプル単位であっても良い。
【００２９】
さらに表示サンプルの時系列がわかるように、表示中のデータの時系列を表示する表示器２６を設ける。この表示は、実時間であっても、サンプリングの番号あるいは起動時刻に対する相対値等であってもよい。
【００３０】
本実施例においては、表示サンプル移動スイッチ２３を設けたことに大きな意義があり、操作者は、表示データを時系列的に前後に切替えし、それに応じた表示結果を確認することで、記録データにおけるリレー動作の変化を読み取りすることができる。
【００３１】
本発明により、所望のリレー要素に着目しつつ、表示サンプル移動スイッチ２３を操作しながら、リレー要素の状態を確認することで、リレー要素の動作順序を直接確認できる。これにより、従来必要であった、記録データのパソコン等への一旦読出しや解析ツールの起動、データに応じた設定、さらには、所望のデータ信号の読み取り等の手間は一切かからない。
【００３２】
図１には本発明を実現する上での表示データ選択回路の一例を示す。記録ケース４はデータセーブメモリ２０１中の１ケース分のデータである。これは、図１０に示す２０１−１〜２０１−Ｎのいずれかのデータケースを表現している。表示データ選択用ポインタ１は、ＨＩ画面１１５上に表示するある１サンプルのデータを選択するためのポインタである。この表示データ選択用ポインタ１に示している記録データのある１サンプルが選択され、ＨＩ画面１１５に表示される。
【００３３】
ＨＩ画面表示処理３では、記録データの表示を実施し、操作者からの指令を受け付ける。加算・減算回路２は、ＨＩ画面表示処理３により図３の表示サンプル移動スイッチ２３の選択を受付、表示データ選択用ポインタ１の指すあるデータサンプルを時系列的に前後させるものである。これは、図３における２４あるいは２５のキー操作によりポインタの指しているデータ位置を切替えするものである。
【００３４】
例えば、表示データ選択用ポインタ１が起動点のデータｔ０を示しているとする。画面上では、ｔ０におけるリレーの状態が表示されている。ここで、２４のキー操作が実施されると、ポインタ１の値は、減算され、ｔ０からｔ−１のデータをポイントする。これにより、画面上では、ｔ０におけるリレーの状態から、ｔ−１におけるリレーの状態が表示されることになる。逆に、２５のキー操作が実施された場合は、表示データ選択用ポインタ１の値は加算され、ｔ−１からｔ０さらにキー操作を続けることでｔ＋１，ｔ＋２のデータをポイントし、画面の表示状態も切り替わりする。以上は、ＯＮ／ＯＦＦデータを表示する場合、同様な処理が実現でき、図３や図６のようにＯＮ／ＯＦＦを示す画面に容易に適用できる。
【００３５】
図１４に図１に示す記録ケース４内に時系列的に格納されるサンプルのデータ構成例を示す。記録ケース４には、起動点となるトリガ点を基準に複数のサンプル１〜１２０が時系列的に格納されている。各サンプルは、サンプル構成５に示すようにサンプルの時刻に対応するデータ、例えば、入力電気量を示す入力電気量１サンプル値（瞬時値）〜入力電気量Ｎサンプル値（瞬時値），各ＲＹの状態を示すＲＹ１状態〜ＲＹｎ状態，遮断器の動作状態を示すＤＩ１（ＣＢ状態）状態〜ＤＩｋ状態などが格納されている。図１に示す表示データ選択用ポインタ１によって、表示点が選択されると、該当するサンプルが読み出されサンプル内の種々の情報をＨＩ画面に表示することができる。
【００３６】
図２に表示サンプル移動処理の処理フローを示す。２４，２５のキー操作により、表示データ選択ポインタの値を減算あるいは加算し、画面をリフレッシュし、選択されたサンプルのデータを表示する処理を繰り返す。
【００３７】
次に入力電気量のようにアナログ値を扱うデータについての表示方法を説明する。図４には、入力電気量の実効値を示す画面を示す。入力電気量の画面は、ａ相，ｂ相，ｃ相および零相を示す３２〜３５の入力電気量の要素名を表示し、その要素に対応した実効値と位相を表示している。本例では右側に実効値と位相を表示しており、要素３２に対して、３２ＲＶに実効値を３２ＰＨに位相を表示している。位相表示については、いずれかの要素を基準とした表現が必要であり、３２〜３５は選択スイッチを兼ねており、位相基準としての選択を実施するとともに、選ばれている要素がわかるように反転表示等を実施している。
【００３８】
この入力電気量の実効値と位相を示す画面３１のように実効値，位相表示では、保護リレー装置が動作した際の過渡的な表示の認識は困難であり、従来は解析ツールに頼って瞬時値データに基づいた波形描画を実施していた。本実施例では、瞬時値選択スイッチ３９−１と実効値選択スイッチ３９−２があり、瞬時値表示と実効値表示を選択することができる。さらに、表示サンプル移動スイッチ２３を用いて、任意のデータを読出し可能とする。
【００３９】
図５は、入力電気量の瞬時値を示す画面４１を示す。この画面４１へは、瞬時値選択スイッチ３９−１を選択することで遷される。４２Ｖは要素３２に対応した瞬時値である。ＯＮ／ＯＦＦデータの表示同様に表示サンプル移動スイッチ２３により、記録データの内容を時系列に確認できる。
【００４０】
図６は、運用状態表示画面５１である。この画面５１では、遮断器やリミットスイッチ等の要素名を示す５２，５３と、各要素のＯｎ／ＯＦＦ状態等の運用状態を示すランプイメージである５２Ｌ，５３Ｌが表示される。この画面５１においても、表示サンプル移動スイッチ２３によって、任意のデータを読出し可能とする。
【００４１】
図８は、動作内容表示画面３１０である。この画面３１０では、記録されている装置動作データのうち、動作結果の概要が表示される。また、図３〜図８に示す各画面間の遷移は、２７〜３０の選択により実施でき、画面遷移とともに選択されたスイッチ部が表示器を兼ねており、反転表示等で選択中であることを認識できるようにする。
【００４２】
ここで常時データを表示するＨＩ画面の例を図１１〜図１３に示す。図１１はリレー動作の表示画面、図１２は入力電気量の表示画面、図１３は運用状態の表示画面である。このように本実施例では、図３〜図６に示す時系列データの表示画面と図１１〜図１３に示す常時データの表示画面とでは、表示サンプル移動スイッチ２３の有無以外はほとんど変わらない構成例となっている。このように画面を構成することで、利用者が容易に操作することが可能となる。
【００４３】
このように、本実施例では特別なソフトを具備せずとも、標準的なヒューマンインターフェイスにおいて、波形の瞬時値を確認したり、時系列でのリレー動作を確認できる機能をヒューマンインターフェイス処理を大幅に増やすことなく対応できるようにするとともに、解析ツールを利用する場合に比較して、特別な設定やデータの選択を実施しなくとも、確認したい情報の時系列を即座に確認できる機能を提供できる。
【００４４】
また、ＨＩ画面によりデータ記録した情報から、時系列的なリレーの応動や機器条件変化、あるいは、系統の電圧、電流情報の過渡変化を把握できるので、データの読出やデータを読出した際の設定等が不要になる。これは、製品試験や現地での現象解析の際に、データ記録を読出し、解析ツールで表示させるといった手間を完全に省くことができ、省力化に大きく寄与する。
【００４５】
また、専用のソフトウェアで実現されている解析ツールでは、１事象のデータ記録をまとめて扱うため、一まとまりのデータを解析ツールに読出しした後、確認を実施したい信号を解析ツール上で信号名等から探し出す必要があるが、本発明の手法であれば、所望の信号のみ着目して確認するだけで良く、人間工学的に優れ、利便性の大幅な改善が図れる。
【符号の説明】
【００４６】
１  表示データ選択用ポインタ
２  加算・減算回路
３  ＨＩ画面表示処理
４  記録ケース
５  サンプル構成
２１  リレー動作内容表示画面
２２  リレー要素名（ＲＹ１）
２２ａ  リレー要素ＲＹ１の第１相の動作状態を示すランプイメージ
２２ｂ  リレー要素ＲＹ１の第２相の動作状態を示すランプイメージ
２２ｃ  リレー要素ＲＹ１の第３相の動作状態を示すランプイメージ
２３  表示サンプル移動スイッチ
２４  表示データのポインタの値を減算指示するスイッチ
２５  表示データのポインタの値を加算指示するスイッチ
２６  表示中のデータの時系列を表示する表示器
２７  動作履歴画面に遷移するためのスイッチ
２８  リレー動作画面に遷移するためのスイッチおよび現在表示中の画面がリレー動作画面であることを表示するための表示器
２９  入力電気量画面に遷移するためのスイッチおよび現在表示中の画面が入力電気量画面であることを表示するための表示器
３０  運用状態画面に遷移するためのスイッチおよび現在表示中の画面が運用状態であることを表示するための表示器
３１  入力電気量の実効値と位相を示す画面
３２  電気量の要素名（ＶＡ）を表示するとともに位相の基準として設定するためのスイッチと位相基準を操作者にわからしめる表示器
３２ＲＶ  電気量要素ＶＡの実効値を示す値
３２ＰＨ  電気量要素ＶＡの位相を示す値
３３  電気量要素名（ＶＢ）
３４  電気量要素名（ＶＣ）
３５  電気量要素名（ＶＯ）
３９  電気量の表示内容を瞬時値または、実効値を切替え指示するためのスイッチおよび現在選択されている表示を示す表示器部
３９−１  瞬時値を選択する場合のスイッチおよび瞬時値が選択されていることを示す表示器
３９−２  実効値を選択する場合のスイッチおよび実効値が選択されていることを示す表示器
４１  入力電気量の瞬時値を示す画面
４２Ｖ  電気量ＶＡの瞬時値を示す値
５１  運用状態表示画面
５２  運用状態を示すＯＮ／ＯＦＦデータの要素名称（ＡＡＡＡ）
５２Ｌ  運用状態要素ＡＡＡＡの状態を示すランプイメージ
５３  運用状態を示すＯＮ／ＯＦＦデータの要素名称（ＢＢＢＢ）
５３Ｌ  運用状態要素ＢＢＢＢの状態を示すランプイメージ
１０１  入力変換器補助トランス
１０２  アナログフィルタ
１０３  Ａ／Ｄ変換器
１０４  リレー演算部
１０５  入力回路
１０６  シーケンス処理部
１０７  出力回路
１０８  データセーブメモリ
１０９  変流器ＣＴ
１１０  変圧器ＰＴ
１１１  リングバッファ
１１２  ＨＩ処理部
１１３，２０３  データ表示編集処理部
１１４，２０４  ＨＩ画面表示処理部
１１５  ＨＩ画面
２０１  データセーブメモリ
２０１−１〜２０１−Ｎ  記録用のデータセーブメモリに存在するケース１からケースＮまでのＮ回分の記録データ
２０２  データ選択回路
３０１  記録されている装置動作データの一覧を示す画面
３０２  動作履歴画面を示すラベル
３０３  記録データより動作履歴を示すリスト
３０４  発生日時
３０５  動作結果
３０６  ，３０７〜３０９  動作記録の記録起動時刻を表示する表示器および詳細表示として選択するためのスイッチ
３０６Ａ，３０７Ａ〜３０９Ａ  ３０６で示す記録における動作内容を示す表示器
３１０  動作内容表示画面
ｔ０  データ記録の起動時刻（以下起動点）における記録データ
ｔ＋１  起動点より１サンプル後の記録データ
ｔ＋２  起動点より２サンプル後の記録データ
ｔ＋３  起動点より３サンプル後の記録データ
ｔ＋４  起動点より４サンプル後の記録データ
ｔ＋５  起動点より５サンプル後の記録データ
ｔ＋６  起動点より６サンプル後の記録データ
ｔ＋ｎ  起動点よりｎサンプル後の記録データ
ｔ−１  起動点より１サンプル前の記録データ
ｔ−２  起動点より２サンプル前の記録データ
ｔ−３  起動点より３サンプル前の記録データ
ｔ−ｍ  起動点よりｍサンプル前の記録データ
【図１】
0005486921.tif 000002
【図２】
0005486921.tif 000003
【図３】
0005486921.tif 000004
【図４】
0005486921.tif 000005
【図５】
0005486921.tif 000006
【図６】
0005486921.tif 000007
【図７】
0005486921.tif 000008
【図８】
0005486921.tif 000009
【図９】
0005486921.tif 000010
【図１０】
0005486921.tif 000011
【図１１】
0005486921.tif 000012
【図１２】
0005486921.tif 000013
【図１３】
0005486921.tif 000014
【図１４】
0005486921.tif 000015